(57)【要約】【課題】  ノートブック型コンピュータのリモートコントローラーに使用され、使用及び携帯を容易とする機能を達成するリモートコントローラー収容装置の提供。【解決手段】  リモートコントローラーは固定フレーム内に収容され、該固定フレームはノートブック型コンピュータのＰＣＭＣＩＡスロットに対応し、リモートコントローラー不使用時に、それをノートブック型コンピュータのＰＣＭＣＩＡスロットに挿入できる。以上の構造により、リモートコントローラーの携帯に便利で、並びに固定フレーム中に懐中電灯或いは計算機を設置でき、且つ該固定フレームをリモートコントローラーと分離可能として使用しやすい機能を達成した。【選択図】        図１
0003104522.tif 000002
【実用新案登録請求の範囲】
【請求項１】
ノートブック型コンピュータのリモートコントローラーに使用されると共にリモートコントローラー本体と固定フレームを具えたリモートコントローラー収容装置において、
該固定フレームの外形寸法がＰＣＭＣＩＡスロットの規格に符合し、該固定フレーム内に長方形の框体が設けられ、該框体の内縁の四つの直角の底部にそれぞれ扇形シートが設けられ、また該框体の内側縁に複数の凸塊が凸設され、
該リモートコントローラー本体に下カバーが設けられ、該下カバーの側縁が該框体の内縁と相互に対応し、該下カバーの底面の四つの直角に扇形シートに対応する扇形溝が設けられ、その上面に銘板が設けられ、該銘板と下カバーの間に基板が設置され、別に該下カバーに電池係止具が設けられたことを特徴とする、リモートコントローラー収容装置。
【請求項２】
請求項１記載のリモートコントローラー収容装置において、銘板の上面に複数の数字キーと複数の機能キーが設けられたことを特徴とする、リモートコントローラー収容装置。
【請求項３】
請求項１記載のリモートコントローラー収容装置において、リモートコントローラー本体の内部に懐中電灯が設置されたことを特徴とする、リモートコントローラー収容装置。
【請求項４】
請求項１記載のリモートコントローラー収容装置において、下カバーの上面に計算機が設置されたことを特徴とする、リモートコントローラー収容装置。
【請求項５】
請求項１記載のリモートコントローラー収容装置において、基板の前端に赤外線出力ユニットが設けられたことを特徴とする、リモートコントローラー収容装置。
【考案の詳細な説明】
【技術分野】
【０００１】
本考案は一種のリモートコントローラー収容装置に係り、特にノートブック型コンピュータのリモートコントローラーに使用され、使用及び携帯を容易とする機能を達成する装置に関する。
【背景技術】
【０００２】
情報速度が求められる時代にあって、情報の掌握はチャンスを掌握することであり、このため携帯しやすいノートブック型コンピュータは既に企業人に必要なツールの一つとなっている。ノートブック型コンピュータは強大な文書処理機能を具え、使用者は製造完成したデータ及びレポートをハードディスク或いはＣＤに保存でき、更にノートブック型コンピュータを携帯して顧客のところに赴き、プロジェクタで放送し、顧客に一目瞭然の効果を提供し、これにより商談成立の確率を高めることができる。
【０００３】
しかし周知のノートブック型コンピュータにはいずれもビルトインタイプのリモートコントローラーが設置されず、このためプロジェクタを使用して説明する時、ノートブック型コンピュータを直接操作する必要があり、スクリーンとノートブック型コンピュータの間で往復しなければならない。
【０００４】
以上のノートブック型コンピュータでプロジェクタ画面を解説する時の不便を鑑み、ノートブック型コンピュータのリモートコントローラーが出現した。周知のノートブック型コンピュータのリモートコントローラーはコントロールボックス６ａとリモートコントローラー本体１ａを具え（図４参照）、リモートコントローラーを使用する前には先ずコントロールボックス６ａとノートブック型コンピュータを電気的に接続しなければならず、このため使用上、非常に不便であり、並びに携帯に不便である。
【０００５】
また、周知のノートブック型コンピュータのリモートコントローラー本体は携帯に便利とするために、その外形寸法がＰＣＭＣＩＡスロットに符合する規格に製作されている。。しかし、それがＰＣＭＣＩＡスロットの規格に符合するために外形が一般のリモートコントローラーと異なるものとなり、握持使用時に自然に行なえず、使用に不便である。
【考案の開示】
【考案が解決しようとする課題】
【０００６】
本考案の主要な目的は、ノートブック型コンピュータのリモートコントローラーの使用及び携帯を容易とするリモートコントローラー収容装置を提供することにある。
【課題を解決するための手段】
【０００７】
請求項１の考案は、ノートブック型コンピュータのリモートコントローラーに使用されると共にリモートコントローラー本体と固定フレームを具えたリモートコントローラー収容装置において、
該固定フレームの外形寸法がＰＣＭＣＩＡスロットの規格に符合し、該固定フレーム内に長方形の框体が設けられ、該框体の内縁の四つの直角の底部にそれぞれ扇形シートが設けられ、また該框体の内側縁に複数の凸塊が凸設され、
該リモートコントローラー本体に下カバーが設けられ、該下カバーの側縁が該框体の内縁と相互に対応し、該下カバーの底面の四つの直角に扇形シートに対応する扇形溝が設けられ、その上面に銘板が設けられ、該銘板と下カバーの間に基板が設置され、別に該下カバーに電池係止具が設けられたことを特徴とする、リモートコントローラー収容装置としている。
請求項２の考案は、請求項１記載のリモートコントローラー収容装置において、銘板の上面に複数の数字キーと複数の機能キーが設けられたことを特徴とする、リモートコントローラー収容装置としている。
請求項３の考案は、請求項１記載のリモートコントローラー収容装置において、リモートコントローラー本体の内部に懐中電灯が設置されたことを特徴とする、リモートコントローラー収容装置としている。
請求項４の考案は、請求項１記載のリモートコントローラー収容装置において、下カバーの上面に計算機が設置されたことを特徴とする、リモートコントローラー収容装置としている。
請求項５の考案は、請求項１記載のリモートコントローラー収容装置において、基板の前端に赤外線出力ユニットが設けられたことを特徴とする、リモートコントローラー収容装置としている。
【考案の効果】
【０００８】
総合すると、本考案のリモートコントローラー収容装置は、リモートコントローラーの携帯に便利で、並びに固定フレーム中に懐中電灯或いは計算機を設置でき、且つ該固定フレームをリモートコントローラーと分離可能として使用しやすい機能を達成し、実用性と進歩性を具えている。
【考案を実施するための最良の形態】
【０００９】
本考案はリモートコントローラー本体と固定フレームで組成されたリモートコントローラー収容装置において、リモートコントローラーを固定フレーム内に収容できるようにし、該固定フレームをノートブック型コンピュータのＰＣＭＣＩＡスロットに対応させ、以上の構造により、リモートコントローラーの携帯と使用に便利とし、並びに固定フレーム中に懐中電灯或いは計算機を設置できるようにし、且つ該固定フレームをリモートコントローラーと分離可能として、使用しやすくする機能を達成する。
【実施例１】
【００１０】
図１、２に示されるように、本考案のリモートコントローラー収容装置は、ノートブック型コンピュータのリモートコントローラーに用いられ、該リモートコントローラーはリモートコントローラー本体１と固定フレーム２を具えている。本考案の特徴は以下のとおりである。即ち、該固定フレーム２の外形がＰＣＭＣＩＡスロットの規格に符合するものとされ、該固定フレーム２内に長方形の框体２１が設けられ、該框体２１の内縁の四つの直角の底部にいずれも扇形シート２１２が設置され、また該框体２１の内側縁に複数の凸塊２１３が設置されている。
【００１１】
該リモートコントローラー本体１は下カバー１１を具え、該下カバー１１の側縁は框体２１の内縁と相互に対応し、該下カバー１１の底面の四つの直角にぞれぞれ扇形シート２１２に対応する扇形溝１１２が設けられ、その上面に銘板１３が設置され、該銘板１３と下カバー１１の間に基板１４が設置され、別に該下カバー１１の後端に電池室１１１が設けられ、該電池室１１１内に電池係止具１５が設けられている。
【００１２】
該銘板１３の上面に複数の数字キー１３１及び複数の機能キー１３２が設けられている。
【００１３】
該基板１４の前端に赤外線出力ユニット１４１が設けられている。
【００１４】
以上の構造により、リモートコントローラー本体１が赤外線制御方式でノートブック型コンピュータをリモートコントロールし、並びにリモートコントローラー本体１が上から下に框体２１内に設置可能とされ、その下カバー１１底面の扇形溝１１２が框体２１内の扇形シート２１２と結合され、該框体２１の内側縁の凸塊２１３が下カバー１１側縁に圧接され、これによりリモートコントローラー本体１が強固に框体２１内に取り付けられて、リモートコントローラー収容装置が形成される。
【００１５】
図３を参照されたい。以上述べたように、本考案のリモートコントローラー収容装置は、その固定フレーム２を利用してノートブック型コンピュータのＰＣＭＣＩＡスロット内に挿入して、リモートコントローラー本体１をノートブック型コンピュータのＰＣＭＣＩＡスロット内に収容でき、これにより携帯に便利な機能を達成する。
【００１６】
さらに、ノートブック型コンピュータの機能を使用する必要がある時、ただ固定フレームをＰＣＭＣＩＡスロットより引き出し、更に固定フレームの框体内よりリモートコントローラー本体を取り出せば使用できる。本考案のリモートコントローラー収容装置の固定フレームはリモートコントローラー本体と分離可能な設計とされ、このため該リモートコントローラー本体の握持感がよく、使用しやすい機能を達成する。
【００１７】
また、本考案のリモートコントローラー収容装置のうち、リモートコントローラー本体の内部に懐中電灯を設置でき、或いは下カバーの上面に計算機を設置可能で、該計算機或いは懐中電灯を固定フレームの框体内に放置でき、さらにその固定フレームを利用してノートブック型コンピュータのＰＣＭＣＩＡスロット内に挿入して懐中電灯或いは計算機をノートブック型コンピュータのＰＣＭＣＩＡスロット内に収容でき、携帯に便利で使用に容易な機能を達成する。
【図面の簡単な説明】
【００１８】
【図１】本考案の立体分解図である。
【図２】本考案の立体組合せ図である。
【図３】本考案の実施例図である。
【図４】周知のノートブック型コンピュータのリモートコントローラーの立体図である。
【符号の説明】
【００１９】
１、１ａ  リモートコントローラー本体        ２  固定フレーム
６ａ  コントロールボックス                  １１  下カバー
１３  銘板                                  １４  基板
１５  電池係止具                            ２１  框体
１１１  電池室                              １１２  扇形溝
１３１  数字キー                            １３２  機能キー
１４１  赤外線出力ユニット                  ２１２  扇形シート
２１３  凸塊
【図１】
0003104522.tif 000003
【図２】
0003104522.tif 000004
【図３】
0003104522.tif 000005
【図４】
0003104522.tif 000006